(57)【要約】【課題】形状がシンプルで、組立・分解しやすく、内部のレイアウト変更も容易な、商品イメージに適した商品陳列ケースを提供する。【解決手段】前面開口の陳列ケース本体２の少なくとも前面側に飾り支柱９が設けられた商品陳列ケースにおいて、飾り支柱９は、金属又はプラスチックによる角パイプ状若しくは角棒状の芯柱１５の外周に、プラスチック成形体よりなり外周面に飾り形状若しくは飾り模様が一体に形成された装飾外筒１６が嵌合された構成であることを特徴とする。【選択図】      図７
2007330684.tif 000002
【特許請求の範囲】
【請求項１】
前面開口の陳列ケース本体の少なくとも前面側に飾り支柱が設けられた商品陳列ケースにおいて、
前記飾り支柱は、金属又はプラスチックによる角パイプ状若しくは角棒状の芯柱の外周に、プラスチック成形体よりなり外周面に飾り形状若しくは飾り模様が一体に形成された装飾外筒が嵌合された構成であることを特徴とする商品陳列ケース。
【請求項２】
前記装り支柱が、縦方向に連続する形状の前記芯柱の外周に、複数の前記装飾外筒を長手方向に順次嵌合して接続することで、一本の飾り支柱に形成されることを特徴とする請求項１記載の商品陳列ケース。
【請求項３】
前記装り支柱を構成する前記装飾外筒は、その上下端に対して中央部分が膨出したエンタシス調の外観であり、装飾外筒の内空壁には前記芯柱に接するように突起が形成されていることを特徴とする請求項１または２記載の商品陳列ケース。
【請求項４】
前記陳列ケース本体は、底板部の前後四隅に立設される前後それぞれ一対の前後部支柱を有し、前部支柱が前記飾り支柱により形成され、さらに、後部支柱にその両端を接続されるとともに、背面に固定された複数の横桟により、後部支柱の間隔を一定に保持する背面板と、前縁部を前記飾り支柱を構成する前部支柱の高さ方向に沿って形成された凹溝に嵌合され、後縁部を前記後部支柱の外側面に固定された一対の側面板と、底部開口したボックス状をなし、かつ前記前後部支柱の上部をはめ込んだ状態で上面を覆う天板と、陳列ケース本体内に多段に配置された商品陳列棚とを有することを特徴とする請求項１乃至３のいずれか１項記載の商品陳列ケース。
【請求項５】
前記背面板に懸垂状態に懸架固定された縦長のラックを備え、該ラックの縦方向に沿って多数形成されたスリットの１つに前記商品陳列棚の後端を引掛け係止することにより、該商品陳列棚を水平を保って前記背面板の前面に支持されるようにしたことを特徴とする請求項４記載の商品陳列ケース。
【請求項６】
前記天板の前部内側には展示商品照射用の照明灯を横設状態に配置したことを特徴とする請求項４または５記載の商品陳列ケース。
【請求項７】
前記側面板は両面エンボス加工された透明アクリル板であることを特徴とする請求項４乃至６のいずれか１項に記載の商品陳列ケース。
【請求項８】
略アングル形断面形状をなし、その一方の片で前記側面板の後部と後部支柱との接合位置の外側を覆うとともに、他方の片が後部支柱に連結された、前記側面板の後部カバーを備えたことを特徴とする請求項４乃至７のいずれか１項記載の商品陳列ケース。
【請求項９】
前記底板部が、前面開口し、かつ開口内部に予備商品格納用のストックボックスを引出し可能に格納したボックス部の上面であることを特徴とする請求項４乃至８のいずれか１項記載の商品陳列ケース。
【発明の詳細な説明】
【技術分野】
【０００１】
本発明は、主として高級化粧品などの商品を陳列するための商品陳列ケースに関し、特に、この商品陳列ケースの左右に配置される支柱の構造を特徴としている。
【背景技術】
【０００２】
化粧品には素肌を作る基礎化粧品と、メーク用品のほぼ二種類に大別される。このうち基礎化粧品は、乳液、クリームローション、美容液などがある。またメーク用品は、ファンデーション、チーク、パウダー、アイシャドー、アイライン、マスカラ、スティックまたはパレット式口紅など多彩な化粧用品があり、その種類は同一のものであっても色違いなどを含めて極めて多岐にわたる。
【０００３】
これら化粧品を整然と配列し、その容器に見合った形態で整理して収納するための陳列台として、下記特許文献に示す商品陳列台がある。
【０００４】
これら陳列台はそのメーカまたは系列毎にまとめられて１つの商品陳列ケースに設けた商品陳列棚に設置され、消費者の手に届きやすい位置で展示販売される。
【特許文献１】特開２００３−１４４２７９公報
【発明の開示】
【発明が解決しようとする課題】
【０００５】
ところで、特に化粧品の陳列ケースは、単に商品の陳列のためだけでなく、その商品の高級なイメージを演出するための装置としての機能が要求される。
【０００６】
すなわち、ある系列商品を一括展示する場合には、それらを見栄え良く効率的に配置するだけでなく、それらの背景としての陳列棚の装飾性や高級感、あるいは商品を陳列した際の商品に対するイメージマッチングも商品購買意欲を喚起するための重要な要素となってくる。その反面で、過剰な装飾は却って商品イメージを損うおそれもある。
【０００７】
さらには、商品サイクルや、展示内容変更などに応じて組立・分解しやすいこと、及び商品の高さに応じた陳列棚の高さ間隔などのレイアウト変更を容易に行える構造であることも要求される。
【０００８】
そこで本発明は、以上の課題を解決するためになされたものであり、その目的は、形状がシンプルで、組立・分解しやすく、内部のレイアウト変更も容易かつ、商品イメージに適した陳列ケースとして好適な商品陳列ケースを提供するものである。
【課題を解決するための手段】
【０００９】
前記目的を達成するため、本発明の商品陳列ケース１は、前面開口の陳列ケース本体２の少なくとも前面側に飾り支柱９が設けられた商品陳列ケースにおいて、前記飾り支柱９は、金属又はプラスチックによる角パイプ状若しくは角棒状の芯柱１５の外周に、プラスチック成形体よりなり外周面に飾り形状若しくは飾り模様が一体に形成された装飾外筒１６が嵌合された構成であることを特徴としている。飾り支柱９は、陳列ケース本体２の前部左右に縦通して設けるのが普通であるが、中央部に設けることもできる。
【００１０】
前記装り支柱９が、縦方向に連続する形状の前記芯柱１５の外周に、複数の部分装飾外筒１６を長手方向に順次嵌合して接続することで、一本の飾り支柱に形成される。芯柱１５を、複数の部分芯柱を接続させる構成としても良い。
【００１１】
前記装り支柱９を構成する前記装飾外筒１６は、その上下端に対して中央部分が膨出したエンタシス調の外観であり、装飾外筒１６の内空壁には前記芯柱１５に接するように縦方向に連続する形状の挿通ガイド用の突起１６ａが形成されている。
【００１２】
前記陳列ケース本体２は、底板部５の前後四隅に立設される前後それぞれ一対の前後部支柱を有し、前部支柱が前記飾り支柱９により形成される。さらに、後部支柱１０にその両端を接続されるとともに、背面に固定された複数の横桟１１により、後部支柱１０の間隔を一定に保持する背面板６と、前縁部を前記飾り支柱９を構成する前部支柱の高さ方向に沿って形成された凹溝１６ｂに嵌合され、後縁部を前記後部支柱１０の外側面に固定された一対の側面板７と、底部開口したボックス状をなし、かつ前記前後部支柱の上部をはめ込んだ状態で上面を覆う天板８と、陳列ケース本体２内に多段に配置された商品陳列棚３とを有することを特徴としている。
【００１３】
前記背面板６に懸垂状態に懸架固定された縦長のラック２７を備え、該ラック２７の縦方向に沿って多数形成されたスリットの１つに前記商品陳列棚３の後端を引掛け係止することにより、該商品陳列棚３を水平を保って前記背面板６の前面に支持されるようにしている。
【００１４】
前記天板８の前部内側には展示商品照射用の照明灯２０を横設状態に配置している。
【００１５】
前記側面板は両面エンボス加工された透明アクリル板により形成される。
【００１６】
略アングル形断面形状をなし、その一方の片で前記側面板７の後部と後部支柱１０との接合位置の外側を覆うとともに、他方の片が後部支柱１０に連結された前記側面板７の後部カバー１８を備えている。
【００１７】
前記底板部５ａが、前面開口し、かつ開口内部に予備商品格納用のストックボックス１２を引出し可能に格納したボックス部５の上面とされている。
【発明の効果】
【００１８】
本発明の商品陳列ケースによれば、前面開口の陳列ケース本体２の少なくとも前面側に飾り支柱９を設け、該飾り支柱９は、金属又はプラスチックによる角パイプ状若しくは角棒状の芯柱１５の外周に、プラスチック成形体よりなり外周面に飾り形状若しくは飾り模様が一体に形成された装飾外筒１６が嵌合された構成としているので、商品陳列ケースに高級感を与え、商品の購買意欲を向上させるとともに、飾り支柱は、中心の芯柱により強度性が与えられ、装飾外筒により自由な装飾性を付与することができる。
【００１９】
請求項２の飾り支柱の構造によれば、芯柱で強度・剛性を分担し、装飾外筒で見栄えの確保ができる。また、複数の部分装飾外筒を上下に連結することで、一本の支柱になるため、個々の装り支柱を安価に製作でき、かつケースの高さに応じた高さに容易に変更できる。
【００２０】
請求項３の飾り支柱の構造によれば、エンタシス調による視覚効果により、特異な視覚効果を得ることができる。また、芯柱への装飾外筒の嵌合作業が容易となり、装飾外筒の外周方向の位置がずれたり曲がったりするということがない。
【００２１】
請求項４の商品陳列ケースによれば、底板部の四隅に支柱を立設し、これに背面板、側面板を組付けた後天板を取付ければ、陳列ケース本体が完成し、また解体はその逆の手順で行えば良いため、組立・分解が簡単である。
【００２２】
請求項５の構造によれば、陳列棚の配置や商品に応じた配置変更が容易である。
【００２３】
請求項６の構造によれば、陳列商品をケース内で照明できるため、当該商品を際立たせて展示できる。
【００２４】
請求項７の構造によれば、側面板におけるスモーク調の光透過性により、外部に光が散乱し、陳列ケース本体そのものを際立たせて見せることができる。
【００２５】
請求項８の構造によれば、側面板と後部支柱との接合部が隠されるため、見栄えがさらに向上する。
【００２６】
請求項９の構造によれば、予備商品を一時ストックし、展示商品が売切れたら直ちに補給できるため、商品補給による販売の停滞を防止できる。
【発明を実施するための最良の形態】
【００２７】
以下、本発明の最良の形態につき、添付図面を参照して詳細に説明する。図１〜４は本発明に係る化粧品陳列ケースの全体的構成を示すものであり、図１は平面図及び正面図、図２は側面図、図３、４は図１のＡ−Ａ線及びＢ−Ｂ線における断面図、図５（ａ），（ｂ）は図４のＣ部及びＤ部拡大図である。
【００２８】
各図において、化粧品陳列ケース１は、前面開口した縦長矩形状の陳列ケース本体２と、陳列ケース本体２の内部に多段に配置された陳列棚３とを備えている。
【００２９】
陳列ケース本体２は、不陸調整用の４つのアジャスター４を下面に設けた前面開口のボックス部５の上面を底板部５ａとしてこれの上部に組付けられたものであり、背面板６，両側側面板７，天板８、及びこれら各板６〜８を組付けるための一対の前部支柱，及び後部支柱１０と、背面板６の裏面に固定された複数の横桟１１とから概略構成されている。上記前部支柱は後述する飾り支柱９により構成される。
【００３０】
前記ボックス部５には、予備の商品を一時格納するストックボックス１２が引出し可能に収装されている。ストックボックス１２の前面パネル１２ａの表面は特に図１に示すように、表装や彫刻などの縁取り加工により装飾を施したもので、その左右には表面金色メッキを施したリング式の一対の把手１４が配置され、かつ把手１４間において前面パネル１２ａには、シルクスクリーン印刷などにより、商品ロゴなどを表示できるようにしている。
【００３１】
前記各支柱９，１０は、ボックス部５の上面四隅に、ほぞ及びほぞ穴などの加工により差込無ことで立設されたものである。
【００３２】
このうち前部支柱は飾り支柱９を構成するものであって、図６，７に示すように縦方向に連続する形状の芯柱１５と、芯柱１５の外周に落し込み式に嵌合される複数の部分装飾外筒の連接による装飾外筒１６とからなっている。
【００３３】
前記芯柱１５は強度部材を構成するものであり、スチール製などの金属又はプラスチックの異形押出成形体により縦方向に連続状に構成され、その最下端を前記ボックス部５の底板部５ａに差込み固定され、最上端を同じく差込み式に前記天板８に嵌合される。
【００３４】
装飾外筒１６を構成する各部分装飾外筒は、合成樹脂射出成形体からなり、その外周部上下方向中央部を上下端より膨出させ、かつその外周に上下方向に沿って複数の凹部を形成することによりエンタシス調の柱としたもので、その内周部には前記芯柱１５に対して、周方向に位置決めするとともに、挿通をスムーズにするための複数の挿通ガイド用の突起１６ａが形成されている。
【００３５】
また、装飾外筒１６の外周の一部には、前記側面板の前縁を嵌合するための凹溝１６ｂが形成され、さらには装飾外筒１６の上端部及び下端部は継足した状態で互いに位置決め嵌合されるべく凹凸形状となっており、その嵌合部の一方に位置決め突起１６ｃ、他方には位置決め凹部１６ｄがそれぞれ形成されている。
【００３６】
さらに各装飾外筒１６の塗色は、ケース全体の色調に合わせて全体がアイボリーないしは白色仕上げであって、かつ上下端接合部を金色仕上げとすることで、清楚な中にも豪華な色調の意匠性を付与している。
【００３７】
なお、図７では、芯柱１５を縦方向に連続する形状としているが、芯柱１５を継足し形状とする場合には、その継足し位置と部分装飾外筒１６との継足し位置が同一とならないようにすることによって柱全体の強度・剛性を高めることができる。また、得ようとする商品陳列ケース１の高さに応じて芯柱１５及び部分装飾外筒１６の本数や長さを選択できる。
【００３８】
前記背面板６は、２．４厚みの木工合板製であり、表面に白色のベルビアンシートなどの表装材を貼付けたもので、背面両側を後部支柱１０に固定され、かつ背面に一体に配置された横桟１１によって両後部支柱１０間の間隔を保持するようになっている。
【００３９】
前記側面板７は透明アクリル樹脂板の両面をエンボス加工により光透過性のスモーク調に仕上げたものであり、その先端縁は図５（ａ）に示すように、前記装飾外筒１６に形成された凹溝１６ｂに嵌合され、後端を図５（ｂ）に示すように、後部支柱１０の外側部にビス１７により固定され、さらにはその接合位置外側をカバー１８により覆われている。なお、この側面板７にも商品ロゴがシルクスクリーン印刷により形成できるようになっている。
【００４０】
前記カバー１８は、断面略Ｌ字形をした白色塗装仕上げのスチール製チャンネル材からなるもので、前記側面板７の後部の高さ方向全体を覆っているとともに、その背面を前記後部支柱１０の背面にボルト１９を介して固定されることで、図８に示すように、側面板７を前後の支柱９，１０間に連結固定している。側面板７のビス止め位置及びカバー１８のビス止め位置は、同図８のごとく、上下の二箇所程度で十分である。
【００４１】
前記天板８は、ＡＢＳなどの真空成形体からなり、その前面及び両側面を飾り板として白色を基色とした装飾形状とした下面開口するもので蓋状の部材であって、その内側前部には特に図３に示すように、蛍光灯よりなる照明灯２０を幅方向に沿って配置し、ケース１内全体を照明できるようにしている。
【００４２】
またこの光は、両側面板７のスモーク調の光透過性により、外部周囲に散乱し、陳列ケース本体２を浮び上がらせ、商品ロゴなどを浮立たせる上で好適となっている。
【００４３】
なお、前記天板８の後部には、特に図２に示すように、前記背面板６に付合わされる上部背面板６’が垂設され、その背面に固定された横桟１１’を最上部の横桟１１に突き合せにより同一面上に配置されるようになっており、図３の矢印に示すごとく、天板８とともに陳列ケース本体２の上面開口に取付・取外し可能としている。
【００４４】
また、前記天板８の前面下部にはＰＯＰ貼付け用のホルダーパネル２１が左右一対のヒンジ２２を介し引掛け係止されている。このホルダーパネル２１は透明アクリル板からなっており、これの表面にＰＯＰを印刷した透明フィルムないしシートをその上下に形成された差込溝（図略）に差込むことで、パネル面に固定され、前記蛍光灯２０の背光によりＰＯＰを浮び上がらせるようにしている。
【００４５】
さらに、前記ボックス部５の背面には、図３に示すように、コンセントボックス２３が配置され、接続ケーブル２４を介して売場などに設けられた外部のＡＣ電源に接続されるようにしている。
【００４６】
そして、背面板６の前面底部には、図１に示すように、このコンセントボックス２３に接続されたスイッチ及びコンセント兼用パネル２５が配置され、これに設けたスイッチ２５ａを介して前記蛍光灯２０の配線に接続している。またコンセント２５ｂは後述する電気機器に対する接続用として活用される。
【００４７】
以上の構成において、陳列ケース本体２の組立手順は、まずボックス部の上部４隅に前後の支柱９，１０を嵌め付けて立設し、その後は背面板６を後部支柱１０に組付け、側面板７を支柱９，１０間に固定し、最後に天板８を上部にかぶせることで、各支柱９，１０の上端を位置決めした状態で、組立が完成する。また解体に際しては、前記の逆の手順によって解体作業を行うことによって、各パーツに簡単に分解できることも言うまでもない。
【００４８】
次に、前記陳列棚３について説明する。各陳列棚３は、特に図３に示すように、前記背面板６の前面に縦方向に懸垂支持された縦長のラック２６に多段に形成されたスリット（図略）にその背面を引掛け係止することにより、水平状態を保って多段配置されるものであり、商品の高さに応じて、スリットを選択することで、上下間隔を自由に配置できるようになっている。
【００４９】
なお、前記各陳列棚３には、化粧品を整理した状態で収納しやすく、かつ脱落防止用に容器形状をなし、さらには消費者が見やすいような傾斜角度を保って商品を配列する商品陳列台３１が配置され、これら商品陳列台３１は、図１のごとく、陳列ケース本体２の中央部を明けて、その左右に配置されている。
【００５０】
また、上から第二段目の陳列棚３の中央には、ミラー２７が配置されている。このミラー２７の内部には図示しない光源が配置され、中央のミラー本体２７ａの周囲から発光することで、展示化粧品を試用し、その効果を確認するためにミラー２７を覗く消費者の顔をより鮮明に浮び上がらせて反射する。それ故、前述のコンセント２５ｂはこの照射式ミラー２７の接続用として用いられるのである。
【００５１】
なお、以上の実施形態では、本発明を化粧品の陳列ケースに適用した場合を説明したが、特に、高級感など商品イメージを重要視し、かつ消費者の手にとって見ることを可能とした商品の展示販売用の陳列ケース一般に適用できる、
【図面の簡単な説明】
【００５２】
【図１】本発明に係る商品陳列ケースの平面図及び正面図である。
【図２】同側面図である。
【図３】図１のＡ−Ａ線における縦断面図である。
【図４】図１のＢ−Ｂ線における平断面図である。
【図５】（ａ），（ｂ）は図４のＣ部及びＤ部拡大図である。
【図６】化粧柱の平面及び側面図、及びＥ−Ｅ線、Ｆ−Ｆ線における断面図である。
【図７】（ａ），（ｂ）は装飾外筒と芯柱との結合関係を示す分解図及び組立図である。
【図８】側面板を前後の支柱間に組付けた状態を示す斜視図である。
【符号の説明】
【００５３】
１  商品陳列ケース
２  陳列ケース本体
３  陳列棚
４  アジャスター
５  ボックス部，５ａ  底板部
６  背面板
７  側面板
８  天板
９  飾り支柱（前部支柱）
１０  後部支柱
１１  横桟
１２  ストックボックス
１５  芯柱
１６  装飾外筒、１６ａ  突起、１６ｂ  凹溝
１８  後部カバー
２０  照明灯
２７  ラック
【図１】
2007330684.tif 000003
【図２】
2007330684.tif 000004
【図３】
2007330684.tif 000005
【図４】
2007330684.tif 000006
【図５】
2007330684.tif 000007
【図６】
2007330684.tif 000008
【図７】
2007330684.tif 000009
【図８】
2007330684.tif 000010